(57)【特許請求の範囲】
【請求項１】
バスタブ（１）の洗い場に臨むタブ壁（２）に挟持固定される手摺ベース（３）と、手摺ベース（３）で支持される手摺体（４）と、洗い場の床面に接当して手摺体（４）に作用する外力を手摺ベース（３）と協同して支持する脚柱（５）とを備えており、
手摺ベース（３）はベース本体（７）と、ベース本体（７）に設けられて前記タブ壁（２）を内外に挟持するクランプ構造とを備えており、
クランプ構造は、ベース本体（７）に固定されてタブ壁（２）の外側面（２ａ）に接当する左右一対の固定クランプ体（２６）と、ベース本体（７）で進退自在に支持されるクランプアーム（２７）と、クランプアーム（２７）に支持されてタブ壁（２）の内側面（２ｂ）に接当する左右一対の可動クランプ体（２８）と、クランプアーム（２７）を進退操作する調整構造とを備えており、
タブ壁（２）に接当する固定クランプ体（２６）の接合面（２９）が、外側面（２ａ）に向って外突状に湾曲する２次元平面で形成されており、
タブ壁（２）に接当する可動クランプ体（２８）が、クランプアーム（２７）に設けた自在継手（３８）で前後および左右傾動可能に支持されていることを特徴とするバスタブ用手摺。
【請求項２】
ベース本体（７）に左右一対のクランプアーム（２７）と、各クランプアーム（２７）を個別に進退操作する調整構造とが設けられており、
各クランプアーム（２７）を調整構造で独立して進退調整できる請求項１に記載のバスタブ用手摺。
【請求項３】
調整構造が、ベース本体（７）に設けたガイド溝（２０）で前後スライド自在に案内支持されるスライドブロック（４３）と、スライドブロック（４３）にねじ込まれてスライドブロック（４３）を進退操作する調整ボルト（４４）を含み、
スライドブロック（４３）の上側にクランプアーム（２７）が固定されている請求項１または２に記載のバスタブ用手摺。
【請求項４】
クランプアーム（２７）が、スライドブロック（４３）の上面に固定したアーム締結枠（３６）に締結固定されており、
アーム締結枠（３６）にクランプアーム（２７）を締結するための複数のねじ穴（４７）が形成されている請求項３に記載のバスタブ用手摺。
【請求項５】
固定クランプ体（２６）の接合面（２９）が、湾曲長さが異なる第１円弧面（２９ａ）と第２円弧面（２９ｂ）とを備えた部分円弧面で形成されており、
隣接する固定クランプ体（２６）は左右線対称に配置されて、対称中心軸線に近い側の第２円弧面（２９ｂ）の湾曲長さが、対称軸線から遠い側の第１円弧面（２９ａ）の湾曲長さより大きく設定されており、
タブ壁（２）が前突湾曲状である場合には、タブ壁（２）の外側面（２ａ）が固定クランプ体（２６）の第２円弧面（２９ｂ）で接当支持されており、タブ壁（２）が後突湾曲状である場合には、タブ壁（２）の外側面（２ａ）が固定クランプ体（２６）の第１円弧面（２９ａ）で接当支持される請求項１から４のいずれかひとつに記載のバスタブ用手摺。
【請求項６】
固定クランプ体（２６）がベース本体（７）に対してスペーサー（３２）を介して締結固定されており、
スペーサー（３２）は厚みの異なる複数種が用意されており、
タブ壁（２）の外側面（２ａ）の湾曲面の変化に対応して、固定クランプ体（２６）が厚みの異なるスペーサー（３２）を介してベース本体（７）に締結固定してある請求項１から５のいずれかひとつに記載のバスタブ用手摺。
【請求項７】
ベース本体（７）に、手摺体（４）の手摺支柱（５０）を支持する上下貫通状の柱穴（１９）と抱持座（６８）とが設けられており、
抱持座（６８）と対向する抱持ブロック（７０）をベース本体（７）に対してボルト（７１）で締結することにより、手摺支柱（５０）を抱持座（６８）と抱持ブロック（７０）で抱持固定できる請求項１から６のいずれかひとつに記載のバスタブ用手摺。
【請求項８】
脚柱（５）の上端に雌ねじ体（８１）が固定され、手摺支柱（５０）の下端に接床体（８２）が設けられており、
手摺支柱（５０）の内部に脚柱（５）が内嵌された状態で、雌ねじ体（８１）が手摺支柱（５０）に固定した調整ねじ軸（５４）にねじ込み連結されている請求項７に記載のバスタブ用手摺。
【発明の詳細な説明】
【技術分野】
【０００１】
本発明は、バスタブのエプロン側のタブ壁に装着して使用される手摺に関する。
【背景技術】
【０００２】
この種の手摺は、例えば特許文献１の浴槽用手摺に開示されている。特許文献１の浴槽用手摺は、浴槽の洗い場側（エプロン側）の外側面に当接する押圧部と、浴槽の内側面に当接する押圧受け部と、押圧部と押圧受け部を連結する連結部と、連結部に設けられる手摺部および脚部などを備える。連結部は、押圧部の第１当接面を支持する垂直の第１側片と、押圧受け部の第２当接面を支持する垂直の第２側片と、両側片を連結する水平の連結片とで構成されており、第１側片の外面に押圧部を進退移動させる位置調節部が設けられている。手摺部は、長円状の把持部と、把持部の直線枠部の下面に固定した一対の取付け脚を備えている。脚部は、第１側片に固定される支持柱を備えており、その下端に接地部が設けられている。
【０００３】
本発明では、バスタブの内側面に密着する可動クランプ体を自在継手で支持するが、こうした支持構造は本出願人の提案に係る特許文献２の浴槽用手摺に開示されている。特許文献２の浴槽用手摺では、浴槽の内側面に密着する揺動板（可動クランプ体）を、可動具に設けた自在継手で支持している。このように、揺動板が自在継手を介して支持されていると、上り傾斜壁からなる浴槽の内側面に揺動板を密着させて、浴槽用手摺を浴槽に強固に装着固定することができる。
【先行技術文献】
【特許文献】
【０００４】
【特許文献１】特許第６４７１８８６号公報
【特許文献２】特開２００７−１１１４２９号公報
【発明の概要】
【発明が解決しようとする課題】
【０００５】
特許文献１の浴槽用手摺では、押圧受け部を浴槽の内側面にあてがった状態で、位置調節部のハンドルノブを回動作し押圧部を浴槽の外側面に押付けることにより、連結部を浴槽に固定できる。しかし、対向する押圧部の第１当接面と押圧受け部の第２当接面で、浴槽の内外側面の壁を挟持するので、適用可能な浴槽構造と、浴槽用手摺の装着可能な位置に制約がある。例えば、エプロンに臨む内外壁が外側、または内側に湾曲している場合には、第１当接面と第２当接面を内外壁に面接触状に密着させることができないため、浴槽用手摺を浴槽に対して強固に、しかも安定した状態で装着することが困難であった。また、エプロンに臨む浴槽のコーナー部分の近傍に浴槽用手摺を装着できないため、コーナー部分から離れた位置に浴槽用手摺を装着せざるを得ず、浴槽に出入りするための空間が浴槽用手摺で狭められる不利があった。
【０００６】
本発明の目的は、タブ壁の内外側面が内外いずれかに湾曲している場合であっても、バスタブ用手摺をバスタブに対して強固にしかも安定した状態で装着でき、従って、適用可能なバスタブと手摺装着位置の自由度を拡大できる汎用性に優れたバスタブ用手摺を提供することにある。
【課題を解決するための手段】
【０００７】
本発明に係るバスタブ用手摺は、バスタブ１の洗い場に臨むタブ壁２に挟持固定される手摺ベース３と、手摺ベース３で支持される手摺体４と、洗い場の床面に接当して手摺体４に作用する外力を手摺ベース３と協同して支持する脚柱５とを備えている。手摺ベース３はベース本体７と、ベース本体７に設けられて前記タブ壁２を内外に挟持するクランプ構造とを備えている。クランプ構造は、ベース本体７に固定されてタブ壁２の外側面２ａに接当する左右一対の固定クランプ体２６と、ベース本体７で進退自在に支持されるクランプアーム２７と、クランプアーム２７に支持されてタブ壁２の内側面２ｂに接当する左右一対の可動クランプ体２８と、クランプアーム２７を進退操作する調整構造とを備えている。タブ壁２に接当する固定クランプ体２６の接合面２９は、外側面２ａに向って外突状に湾曲する２次元平面で形成されている。タブ壁２に接当する可動クランプ体２８は、クランプアーム２７に設けた自在継手３８で前後および左右傾動可能に支持されていることを特徴とする。
【０００８】
ベース本体７に左右一対のクランプアーム２７と、各クランプアーム２７を個別に進退操作する調整構造とが設けられている。各クランプアーム２７は調整構造で独立して進退調整できる。
【０００９】
調整構造が、ベース本体７に設けたガイド溝２０で前後スライド自在に案内支持されるスライドブロック４３と、スライドブロック４３にねじ込まれてスライドブロック４３を進退操作する調整ボルト４４とを含む。スライドブロック４３の上側にクランプアーム２７が固定されている。
【００１０】
クランプアーム２７は、スライドブロック４３の上面に固定したアーム締結枠３６に締結固定されている。アーム締結枠３６にクランプアーム２７を締結するための複数のねじ穴４７が形成されている。なお、クランプアーム２７が１個のボルト３５でアーム締結枠３６に締結固定される場合のねじ穴４７は少なくとも２個以上必要で、クランプアーム２７が２個のボルト３５でアーム締結枠３６に締結固定される場合のねじ穴４７は少なくとも３個以上必要となる。
【００１１】
固定クランプ体２６の接合面２９が、湾曲長さが異なる第１円弧面２９ａと第２円弧面２９ｂとを備えた部分円弧面で形成されている。隣接する固定クランプ体２６は左右線対称に配置されて、対称中心軸線に近い側の第２円弧面２９ｂの湾曲長さが、対称軸線から遠い側の第１円弧面２９ａの湾曲長さより大きく設定されている。タブ壁２が前突湾曲状である場合には、タブ壁２の外側面２ａが固定クランプ体２６の第２円弧面２９ｂで接当支持されており、タブ壁２が後突湾曲状である場合には、タブ壁２の外側面２ａが固定クランプ体２６の第１円弧面２９ａで接当支持される。
【００１２】
固定クランプ体２６がベース本体７に対してスペーサー３２を介して締結固定されている。スペーサー３２は厚みの異なる複数種が用意されている。タブ壁２の外側面２ａの湾曲面の変化に対応して、固定クランプ体２６が厚みの異なるスペーサー３２を介してベース本体７に締結固定されている。
【００１３】
ベース本体７に、手摺体４の手摺支柱５０を支持する上下貫通状の柱穴１９と抱持座６８とが設けられている。抱持座６８と対向する抱持ブロック７０をベース本体７にボルト７１で締結することにより、手摺支柱５０を抱持座６８と抱持ブロック７０で抱持固定できる。
【００１４】
脚柱５の上端に雌ねじ体８１が固定され、手摺支柱５０の下端に接床体８２が設けられている。手摺支柱５０の内部に脚柱５が内嵌された状態で、雌ねじ体８１が手摺支柱５０に固定した調整ねじ軸５４にねじ込み連結されている。
【発明の効果】
【００１５】
本発明のバスタブ用手摺においては、クランプ構造を、ベース本体７に固定される左右一対の固定クランプ体２６と、クランプアーム２７に支持されてタブ壁２の内側面２ｂに接当する左右一対の可動クランプ体２８を備えるものとした。また、固定クランプ体２６の接合面２９は、外側面２ａに向って外突状に湾曲する２次元平面で形成し、可動クランプ体２８は、クランプアーム２７に設けた自在継手３８で前後および左右傾動可能に支持した。こうしたバスタブ用手摺によれば、前後に湾曲しているタブ壁２の外側面２ａの２個所を、一対の固定クランプ体２６の接合面２９で線接触状に受止めることができる。また、湾曲するタブ壁の内側面２ｂの２個所を、一対の可動クランプ体２８の接合面４１が異なる向きに傾動し、さらに面接触状に密着した状態で受止めることができる。従って、本発明に係るバスタブ用手摺によれば、タブ壁２が平坦である場合はもちろん、タブ壁２の内外側面２ａ・２ｂが内外いずれかに湾曲している場合であっても、タブ壁２の内外側面２ａ・２ｂの４個所を固定クランプ体２６と可動クランプ体２８で強固に挟持して、バスタブ用手摺をバスタブ１に対して強固にしかも安定した状態で装着できる。また、タブ壁２のコーナー近傍であっても手摺ベース３を設置できるので、適用可能なバスタブ１と手摺装着位置の自由度を拡大してバスタブ用手摺の汎用性を向上できる。バスタブに出入りするための空間がバスタブ用手摺で狭められることも極力避けることができる。
【００１６】
ベース本体７に左右一対のクランプアーム２７と、各クランプアーム２７を個別に進退操作する調整構造とが設けられていると、各クランプアーム２７を調整構造で独立して進退調整できる。従って、タブ壁２の挟持位置の前後厚みが異なる場合でも、可動クランプ体２８をタブ壁２の内側面２ｂに密着させて、手摺ベース３をタブ壁２に対して強固にしかもさらに安定した状態で装着できる。
【００１７】
ベース本体７に設けたガイド溝２０と、同溝２０で案内支持されるスライドブロック４３と、スライドブロック４３を進退操作する調整ボルト４４とを含んで調整構造を構成し、スライドブロック４３の上側にクランプアーム２７が固定されていると、ベース本体７のガイド溝２０で前後動のみ可能に案内支持されるスライドブロック４３にクランプアーム２７が固定されるので、クランプアーム２７がスライドブロック４３に同行して進退移動するとき、クランプアーム２７が左右や上下にぐら付くのを防止して、可動クランプ体２８をタブ壁２の内側面２ｂに強固に密着保持できる。
【００１８】
クランプアーム２７がスライドブロック４３に固定したアーム締結枠３６に締結固定され、また、アーム締結枠３６に、クランプアーム２７を締結するための複数のねじ穴４７が形成されていると、調整構造で固定クランプ体２６と可動クランプ体２８の挟持間隔を調整できることに加えて、クランプアーム２７のアーム締結枠３６に対する締結位置を変更することによっても、固定クランプ体２６と可動クランプ体２８の挟持間隔を大小に変更調整できる。従って、バスタブメーカーの違いでタブ壁２の前後厚みが大小に異なる場合でも、固定クランプ体２６と可動クランプ体２８の挟持間隔の変更範囲を拡大して、バスタブ用手摺の適用範囲を拡大できる。
【００１９】
固定クランプ体２６の接合面２９が、湾曲長さが異なる第１円弧面２９ａと第２円弧面２９ｂとからなる部分円弧面で形成され、また、隣接する固定クランプ体２６を左右線対称に配置して、対称中心軸線に近い側の第２円弧面２９ｂの湾曲長さが、対称軸線から遠い側の第１円弧面２９ａの湾曲長さより大きく設定されていると、タブ壁２が前突湾曲状である場合には、タブ壁２の外側面２ａを固定クランプ体２６の第２円弧面２９ｂで接当支持でき、タブ壁２が後突湾曲状である場合には、タブ壁２の外側面２ａを固定クランプ体２６の第１円弧面２９ａで接当支持することができる。従って、タブ壁２が前突湾曲状である場合と、タブ壁２が後突湾曲状である場合のいずれの場合でも、固定クランプ体２６の接合面２９をタブ壁２の外側面２ａに安定した状態で接合させて、手摺ベース３をタブ壁２に強固に装着できる。
【００２０】
固定クランプ体２６がベース本体７に対してスペーサー３２を介して締結固定されるものとし、スペーサー３２は厚みの異なる複数種が用意されていると、タブ壁２の外側面２ａの湾曲面の変化に対応して、固定クランプ体２６を厚みの異なるスペーサー３２を使用してベース本体７に接合固定することができる。例えば、タブ壁２の外側面２ａが緩やかなＳ字状の湾曲面で形成してあるような場合には、厚みの異なるスペーサー３２で各固定クランプ体２６の前後位置を調整して、固定クランプ体２６の接合面２９を湾曲するタブ壁２の外側面２ａに確りと接合させることができる。
【００２１】
ベース本体７に、手摺体４の手摺支柱５０を支持する柱穴１９と抱持座６８とが設けられ、抱持座６８と対向する抱持ブロック７０をベース本体７にボルト７１で締結することにより、手摺支柱５０が手摺ベース３に固定されるようになっていると、ボルト７１を緩めた状態では、手摺体４を無段階で上下に位置調整でき、さらに手摺体４の向きを手摺支柱５０の周りの任意位置に位置調整できるので、ユーザーの身体状況や体力、あるいは好みに応じて手摺体４の位置を自由に調整できる。また、手摺部の一対の取付け脚を連結部にねじで固定する従来の固定構造に比べて、手摺体４の位置調整をより少ない手間で簡便に行える。
【００２２】
脚柱５の上端に雌ねじ体８１が固定され、脚柱５の下端に接床体８２が設けられ、手摺支柱５０の内部に脚柱５を内嵌装着した状態で、雌ねじ体８１が手摺支柱５０に固定した調整ねじ軸５４にねじ込み連結されていると、脚柱５の調整ねじ軸５４に対するねじ込み度合いを調整することで、手摺ベース３の接床高さを無段階に調整できる。従って、タブ壁２の高さの違いに応じて、手摺ベース３の接床高さを過不足なく適正に調整して、手摺ベース３を脚柱５で確りと支持できる。また、バスタブ用手摺を設置する際に不可欠な手摺ベース３の接床高さの調整を、より少ない手間で簡便に行える。
【図面の簡単な説明】
【００２３】
【図１】本発明に係るバスタブ用手摺を示す図５におけるＡ−Ａ線断面図である。
【図２】本発明に係るバスタブ用手摺の適用例を示すバスタブの平面図である。
【図３】タブ壁に装着した状態のバスタブ用手摺の側面図である。
【図４】図５におけるＢ−Ｂ線断面図である。
【図５】図１におけるＣ−Ｃ線断面図である。
【図６】手摺ベースの分解断面図である。
【図７】図１におけるＤ−Ｄ線断面図である。
【図８】図１におけるＥ−Ｅ線断面図である。
【図９】可動クランプ体の支持構造を示す分解斜視図である。
【図１０】クランプアームの固定構造を示す分解斜視図である。
【図１１】脚柱の構造を示す一部破断正面図である。
【図１２】手摺本体の支持構造を示す断面図である。
【図１３】図１１におけるＦ−Ｆ線断面図である。
【図１４】固定クランプ体とスペーサーを示す斜視図である。
【図１５】タブ壁の湾曲形状に応じたスペーサーの使用例を示す横断面図である。
【発明を実施するための形態】
【００２４】
（実施例）  本発明に係るバスタブ用手摺の実施例を図１から図１５に示す。本発明における前後、左右、上下とは、図２および図３に示す交差矢印と、各矢印の近傍の前後、左右、上下の各表記に従うものとする。図２および図３において、符号１はバスタブ、２はバスタブ１の洗い場に臨むタブ壁であり、タブ壁２のコーナー部の近傍に本実施例に係るバスタブ用手摺が設置されている。平面から見たタブ壁２は前突湾曲状に湾曲している。バスタブ用手摺は、タブ壁２に挟持固定される手摺ベース３と、手摺ベース３で支持される手摺体４と、洗い場の床面に接当して手摺体４に作用する外力を手摺ベース３と協同して支持する脚柱５などで構成される。
【００２５】
手摺ベース３はベース本体７と、同本体７に設けられてタブ壁２を内外に挟持するクランプ構造と、ベース本体７の前部上面と後部上面に固定される前上ブロック８および後上ブロック９と、ベース本体７の後部下面に固定される後下ブロック１０と、これらの部材を下面側から覆う本体カバー１２と、ベース本体７の上面を覆う蓋カバー１３などで構成される。前上ブロック８および後上ブロック９は、本体カバー１２、後下ブロック１０および固定クランプ体２６などをベース本体７に締結するために設けられており、各ブロック８・９には本体カバー１２および後下ブロック１０の下面側から挿通される３個のボルト（六角穴付きボルト）１４に対応するナット１５が設けられている（図４参照）。後下ブロック１０の下面にはクッション材１６が固定されている。ベース本体７、前後の上ブロック８・９、後下ブロック１０、本体カバー１２および蓋カバー１３は、いずれもプラスチック成形品からなる。図１に示すように、後下ブロック１０の後端面の左右には、後述するクランプアーム２７の前後中途部を支持するアーム通口１１が設けられている。
【００２６】
図５に示すように、ベース本体７の中央寄りには手摺体４の手摺支柱５０を組むためのボス１８が形成されており、ボス１８の中央に柱穴１９が上下貫通状に形成されている。また、ボス１８の左右には、後述する調整構造を支持する断面凸字状のガイド溝２０が形成されており、ボス１８の前後には前枠２１および後枠２２が張り出し形成されて、これら両枠２１・２２の上下面に先の前後の上ブロック８・９と後下ブロック１０とが締結されている。ボス１８の上部には、蓋カバー１３の筒壁１３ａを組むための連結穴２３が形成されている（図４参照）。
【００２７】
クランプ構造は、ベース本体７に固定されてタブ壁２の外側面２ａに接当する左右一対の固定クランプ体２６と、ベース本体７で進退自在に支持される左右一対のクランプアーム２７と、クランプアーム２７に支持されてタブ壁２の内側面２ｂに接当する左右一対の可動クランプ体２８と、クランプアーム２７を進退操作する調整構造とを備えている。固定クランプ体２６の接合面２９は、タブ壁２の外側面２ａに向って外突状に湾曲する２次元平面からなり、タブ壁２が傷むのを避けるために接合面２９はゴムなどのクッション材で形成される。
【００２８】
図５に示すように、固定クランプ体２６の接合面２９は、湾曲長さが異なる第１円弧面２９ａと第２円弧面２９ｂとを備えた部分円弧面で形成されている。また、左右に隣接する固定クランプ体２６は左右線対称に配置されて、対称中心軸線に近い側の第２円弧面２９ｂの湾曲長さが、対称軸線から遠い側の第１円弧面２９ａの湾曲長さより大きく設定されている。タブ壁２の外側面２ａが前突湾曲状に形成されている場合には、主として隣接する第２円弧面２９ｂで外側面２ａを受け止めており、タブ壁２の外側面２ａが後突湾曲状に形成されている場合には、主として隣接する第１円弧面２９ａで外側面２ａを受け止める。
【００２９】
図１４に示すように、固定クランプ体２６は花弁状の本体部２６ａと、本体部２６ａの前面の左右に設けた六角穴付きボルト（ボルト）３１用のボス２６ｂと、位置規制板２６ｃとを一体に備えている。ボス２６ｂがベース本体７の後面から内部に係合する状態で、六角穴付きボルト３１を雌ねじ体３０にねじ込むことにより、固定クランプ体２６はスペーサー３２を介してベース本体７に固定されている。雌ねじ体３０は、先に説明した後上ブロック９と一体に形成されている。図１４に示すようにスペーサー３２には、ボス２６ｂ用のボス穴３２ａと、位置規制板２６ｃ用の切欠３２ｂとが形成されている。この実施例では、厚みが異なる３種のスペーサー３２が用意されており、各スペーサー３２の厚みは、薄い側から順に２．５ｍｍ、５ｍｍ、７．５ｍｍとした。
【００３０】
図１および図１０に示すように、クランプアーム２７は横臥Ｌ字状のプレス金具にプラスチック被覆を施して形成されており、水平の腕部の前部寄りが２個の皿ビス（ボルト）３５で金属製のアーム締結枠３６に締結固定されている。また、アーム締結枠３６は、後述する調整構造のスライドブロック４３の上面に２個の皿ビス（ボルト）３７で締結固定されている。クランプアーム２７の垂直の腕部の前面下部に、可動クランプ体２８が十字軸状の自在継手３８で支持されている。詳しくは、図９に示すように、クランプアーム２７の垂直の腕部に設けた左右一対のブラケット３９で自在継手３８の左右軸を支持し、可動クランプ体２８の後面に設けた上下一対のブラケット４０で自在継手３８の上下軸を支持している。このように、可動クランプ体２８を自在継手３８で支持することにより、可動クランプ体２８は、タブ壁２の内側面２ｂの湾曲度と傾斜度に応じて左右方向および前後方向に傾動できる。具体的には、可動クランプ体２８は平面から見て１０度ずつ左右傾動でき、側面から見て前方へ１５．５度、後方へ９．５度傾動できる。可動クランプ体２８の接合面４１は平坦面からなり、タブ壁２が傷むのを避けるために接合面４１はゴムなどのクッション材で形成される。
【００３１】
調整構造は、ベース本体７に設けたガイド溝２０で前後スライド自在に案内支持される断面が凸字状の金属製のスライドブロック４３と、スライドブロック４３にねじ込まれて同ブロック４３を進退操作する調整ボルト４４とを備えている。図５に示すように、調整ボルト４４の操作頭部はガイド溝２０の前壁で支持されて、ねじ軸がスライドブロック４３のねじ穴４５に前後貫通状にねじ込まれている。調整ボルト４４の操作頭部は、ベース本体７に組付けた前上ブロック８で覆われており、前上ブロック８の左右には調整ボルト４４をねじ込み操作するためのレンチ穴４６が形成される。図１０に示すように、アーム締結枠３６には、一定ピッチで４個のねじ穴４７が形成されており、クランプアーム２７のアーム締結枠３６に対する締結位置を前後方向の３個所のいずれかに変更することで、固定クランプ体２６と可動クランプ体２８の挟持間隔を大小に変更調整することができる。
【００３２】
手摺体４は、手摺ベース３で支持される手摺支柱５０と、同支柱５０の上部に装着される手摺本体５１とを備えている。手摺支柱５０は金属製の丸パイプに樹脂被覆を施して形成されており、その上端にＴ字状のブラケット５２が固定され、下端に抜止用のキャップ５３が固定されている。また、手摺支柱５０の内部には、脚柱５の上下位置を調整するための調整ねじ軸５４が固定されており、調整ねじ軸５４の上端は手摺支柱５０の上端に固定した端プラグ５５に回転不能に固定されている（図１２参照）。手摺本体５１は、一対の長辺部と、長辺部の端部に連続する湾曲部とで平面視が競技トラック状に形成されており、各長辺部の中途部下面側に三角形状の連結部５６が一体に形成されている。図３に示すように、連結部５６の近傍の長辺部は、へ字状に屈曲されている。
【００３３】
手摺本体５１をブラケット５２で上下傾動可能に支持するために、連結部５６に軸通口５７とセレーション穴５８とが形成されている。また、ブラケット５２の両側端にセレーション穴５９が凹み形成され、その中央にボス６０が膨出形成され、ボス６０の中央に六角穴付きボルト（ボルト）６１をねじ込むためのねじ穴６２が形成されている。手摺本体５１は、セレーション軸６３を介してブラケット５２に連結されて、先の六角穴付きボルト６１で締結固定される。セレーション軸６３の端部には、ボス６０に外嵌するボス穴６４が凹み形成されている。手摺本体５１をブラケット５２に連結するときは、セレーション軸６３をセレーション穴５８に仮組みした状態で手摺本体５１の姿勢を調整し、セレーション軸６３をブラケット５２側のセレーション穴５９に係合させて、手摺本体５１を傾動不能に仮保持する。この状態で、六角穴付きボルト６１をねじ穴６２にねじ込んで手摺本体５１をブラケット５２に固定する。
【００３４】
手摺体４を手摺ベース３で上下位置調整可能に支持するために、ベース本体７の柱穴１９の下側に半円状の抱持座６８を設け、抱持座６８の後側に半円状の抱持座６９を備えた抱持ブロック７０を対向配置し、両抱持座６８・６９で手摺支柱５０を前後に挟持固定できるようにしている。抱持座６８の左右には、抱持ブロック７０を締結する六角穴付きボルト（ボルト）７１用のボルト挿通穴７２が形成されており、ボルト挿通穴７２の下側に縦長四角形状の位置決め穴７３が凹み形成されている。同様に、抱持ブロック７０にはボルト挿通穴７４とナット７５を収容する凹部が形成され、ボルト挿通穴７４の下側に位置決め穴７３と係合する位置決め軸７６が突設されている。
【００３５】
本体カバー１２の内面には、六角穴付きボルト７１の操作頭部が必要以上に弛み移動するのを規制する規制キャップ７７が設けられており、規制キャップ７７と本体カバー１２の左右には、六角穴付きボルト７１をねじ込み操作するためのレンチ穴７８が形成されている。六角穴付きボルト７１を緩めると、手摺支柱５０に密着していた抱持ブロック７０の抱持座６９が離れるので、手摺体４を使用に適した高さに無段階で上下調整することができ、この状態で手摺体４の手摺支柱５０周りの向きを調整したうえで、六角穴付きボルト７１をねじ込むことにより、手摺体４を手摺ベース３に固定できる。
【００３６】
図１１に示すように脚柱５は、金属製の丸パイプの外面に樹脂被覆を施して形成してあり、その上端に雌ねじ体８１が固定され、下端には接床体８２が設けられている。脚柱５は、手摺支柱５０に内嵌され、雌ねじ体８１を調整ねじ軸５４にねじ込んだ状態で手摺支柱５０に連結されており、この状態の雌ねじ体８１の周面は手摺支柱５０の内面で受止められ、さらに脚柱５の中途部が手摺支柱５０の下端に固定したキャップ５３で受止められている。このように、脚柱５の上下２個所が手摺支柱５０とキャップ５３で受止め支持されていると、脚柱５をより安定した状態で支持できる。接床体８２は、中空筒状のプラスチック成形品からなり、その下面に洗い場の床面で受け止められるすべり止め８３が固定されている。接床体８２は、脚柱５の下端に固定したばねプラグ８４で上下スライド自在に支持されており、ばねプラグ８４と接床体８２の内面のバネ受壁の間に配置したばね８５で下向きに進出付勢されている。
【００３７】
以上のように構成したバスタブ用手摺は、以下の手順で設置することができる。まず、蓋カバー１３を本体カバー１２から持ち上げて調整ボルト４４を緩め、固定クランプ体２６と可動クランプ体２８の挟持間隔をタブ壁２の前後厚みより大きめに調整する。さらに、抱持ブロック７０の六角穴付きボルト７１を緩めて、手摺支柱５０を上下スライド可能な状態にしておく。この状態の手摺ベース３をタブ壁２に仮装着して、固定クランプ体２６をタブ壁２の外側面２ａの上部に接当させ、後下ブロック１０のクッション材１６をタブ壁２の上端に載置する。
【００３８】
手摺ベース３を仮組みした状態で、脚柱５を回転操作して手摺体４の上下高さを調整し、六角穴付きボルト７１を締込んで手摺支柱５０を抱持ブロック７０で密着固定する。さらに、調整ボルト４４を締込んで可動クランプ体２８をタブ壁２の内側面２ｂに密着固定する。最後に、脚柱５を回転操作して、接床体８２のすべり止め８３を洗い場の床面に密着させる。このとき、図１１に示すようにばね８５が圧縮変形する状態で接床体８２を洗い場の床面に密着させ、同時に脚柱５に上向きのばね力を作用させて雌ねじ体８１が緩むのを防止する。手摺体４は、六角穴付きボルト６１を緩めることで、ブラケット５２のセレーション穴５９の中心軸の回りに傾動調整でき、例えば図３に示すように、へ字状の手摺本体５１の傾斜部が洗い場に向かって下り傾斜する姿勢や、連結部５６の近傍の長辺部が上り傾斜する姿勢などに自由に姿勢変更できる。また、六角穴付きボルト７１を緩めることにより、手摺体４を手摺支柱５０の中心軸線の回りの任意位置に旋回変位させて固定することができる。例えば、バスタブ用手摺がタブ壁２のコーナー近傍に装着してある場合には、手摺体４を図２に示すように浴室の壁面の向きに対応するよう旋回変位させて固定することができる。
【００３９】
先に説明した固定クランプ体２６は、タブ壁２の湾曲面の変化に応じて、厚みが異なるスペーサー３２を併用してベース本体７に固定される。例えば図１５に示すように、タブ壁２のコーナー部の近傍の外側面２ａが、前突湾曲面と後突湾曲面で緩やかなＳ字状に湾曲されている場合には、前突湾曲面に臨む固定クランプ体２６は、厚みが大きなスペーサー３２を併用してベース本体７に固定し、後突湾曲面に臨む固定クランプ体２６は、厚みが小さなスペーサー３２を併用してベース本体７に固定する。このように、タブ壁２の湾曲形状の違いに応じて厚みが異なるスペーサー３２を使用することにより、手摺ベース３をタブ壁２に対して正対する状態で適正に装着できる。なお、スペーサー３２は、図５に示すように各固定クランプ体２６に同じ厚みのスペーサー３２を使用する場合と、片方の固定クランプ体２６にスペーサー３２を使用し、他方の固定クランプ体２６にはスペーサー３２を使用しない場合と、片方の固定クランプ体２６に２個のスペーサー３２を使用し、他方の固定クランプ体２６にはスペーサー３２を使用しない場合などがある。
【００４０】
上記の実施例ではクランプ構造が、ベース本体７に固定される左右一対の固定クランプ体２６と、クランプアーム２７に支持されてタブ壁２の内側面２ｂに接当する左右一対の可動クランプ体２８を備えるようにした。また、固定クランプ体２６の接合面２９は、外側面２ａに向って外突状に湾曲する２次元平面で形成し、可動クランプ体２８は、クランプアーム２７に設けた自在継手３８で前後および左右傾動可能に支持した。
【００４１】
こうしたバスタブ用手摺によれば、前後に湾曲しているタブ壁２の外側面２ａの２個所を、一対の固定クランプ体２６の接合面２９で線接触状に受止めることができる。さらに、湾曲するタブ壁２の内側面２ｂの２個所を、一対の可動クランプ体２８の接合面４１が異なる向きに傾動し、さらに面接触状に密着した状態で受止めることができる。従って、本実施例に係るバスタブ用手摺によれば、タブ壁２が平坦である場合はもちろん、タブ壁２の内外側面２ａ・２ｂが内外いずれかに湾曲している場合であっても、タブ壁２の内外側面２ａ・２ｂの４個所を固定クランプ体２６と可動クランプ体２８で強固に挟持して、バスタブ用手摺をバスタブ１に対して強固にしかも安定した状態で装着できる。また、タブ壁２のコーナー近傍であっても手摺ベース３を設置できるので、適用可能なバスタブ１と手摺装着位置の自由度を拡大してバスタブ用手摺の汎用性を向上できるうえ、バスタブ１に出入りするための空間がバスタブ用手摺で狭められるのを極力避けることができる。
【００４２】
ベース本体７に左右一対のクランプアーム２７と、各クランプアーム２７を個別に進退操作する調整構造を設けるようにしたので、各クランプアーム２７を調整構造で独立して進退調整することが可能である。従って、タブ壁２の挟持位置の前後厚みが異なる場合でも、可動クランプ体２８をタブ壁２の内側面２ｂに密着させて、手摺ベース３をタブ壁２に対して強固にしかもさらに安定した状態で装着できる。
【００４３】
ベース本体７に設けたガイド溝２０と、同溝２０で案内支持されるスライドブロック４３と、スライドブロック４３を進退操作する調整ボルト４４を含んで調整構造を構成し、スライドブロック４３の上側にクランプアーム２７を固定した。こうした調整構造によれば、ベース本体７のガイド溝２０で前後動のみ可能に案内支持されるスライドブロック４３にクランプアーム２７が固定されるので、クランプアーム２７がスライドブロック４３に同行して進退移動するとき、クランプアーム２７が左右や上下にぐら付くのを防止して、可動クランプ体２８をタブ壁２の内側面２ｂに強固に密着保持できる。
【００４４】
クランプアーム２７は、スライドブロック４３に固定したアーム締結枠３６に締結固定した。また、アーム締結枠３６には、クランプアーム２７を締結するための複数のねじ穴４７を形成した。こうしたクランプ構造によれば、調整構造で固定クランプ体２６と可動クランプ体２８の挟持間隔を調整できることに加えて、クランプアーム２７のアーム締結枠３６に対する締結位置を変更することによっても、固定クランプ体２６と可動クランプ体２８の挟持間隔を大小に変更調整できる。従って、バスタブメーカーの違いでタブ壁２の前後厚みが大小に異なるような場合でも、固定クランプ体２６と可動クランプ体２８の挟持間隔の変更範囲を拡大して、バスタブ用手摺の適用範囲を拡大できる。
【００４５】
固定クランプ体２６の接合面２９を、湾曲長さが異なる第１円弧面２９ａと第２円弧面２９ｂからなる部分円弧面で形成するようにした。また、隣接する固定クランプ体２６は左右線対称に配置して、対称中心軸線に近い側の第２円弧面２９ｂの湾曲長さを、対称軸線から遠い側の第１円弧面２９ａの湾曲長さより大きく設定した。こうした固定クランプ体２６によれば、タブ壁２が前突湾曲状である場合には、タブ壁２の外側面２ａを固定クランプ体２６の第２円弧面２９ｂで接当支持でき、タブ壁２が後突湾曲状である場合には、タブ壁２の外側面２ａを固定クランプ体２６の第１円弧面２９ａで接当支持できる。従って、タブ壁２が前突湾曲状である場合と、タブ壁２が後突湾曲状である場合のいずれの場合でも、固定クランプ体２６の接合面２９をタブ壁２の外側面２ａに安定した状態で接合させて、手摺ベース３をタブ壁２に強固に装着できる。
【００４６】
固定クランプ体２６はベース本体７に対してスペーサー３２を介して締結固定し、スペーサー３２は厚みの異なる複数種を用意するようにした。こうしたクランプ構造によれば、タブ壁２の外側面２ａの湾曲面の変化に対応して、固定クランプ体２６を厚みの異なるスペーサー３２を使用してベース本体７に接合固定することができる。例えば、タブ壁２の外側面２ａが緩やかなＳ字状の湾曲面で形成してあるような場合には、厚みの異なるスペーサー３２で各固定クランプ体２６の前後位置を調整して、固定クランプ体２６の接合面２９を湾曲するタブ壁２の外側面２ａに確りと接合させることができる。
【００４７】
ベース本体７に、手摺体４の手摺支柱５０を支持する柱穴１９と抱持座６８を設け、抱持座６８と対向する抱持ブロック７０をベース本体７にボルト７１で締結固定することにより、手摺支柱５０を抱持座６８と抱持ブロック７０で抱持固定できるようにした。こうしたバスタブ用手摺によれば、ボルト７１を緩めた状態では、手摺体４を無段階で上下に位置調整でき、さらに手摺体４の向きを手摺支柱５０の周りの任意位置に位置調整できるので、ユーザーの身体状況や体力、あるいは好みに応じて手摺体４の位置を自由に調整できる。また、手摺部の一対の取付け脚を連結部にねじで固定していた従来の固定構造に比べて、手摺体４の位置調整をより少ない手間で簡便に行える。
【００４８】
脚柱５の上端に雌ねじ体８１を固定し、脚柱５の下端に接床体８２を設けるようにした。また、中空の手摺支柱５０の内部に脚柱５を内嵌装着して、雌ねじ体８１を手摺支柱５０に固定した調整ねじ軸５４にねじ込むようにした。こうしたバスタブ用手摺によれば、脚柱５の調整ねじ軸５４に対するねじ込み度合いを調整することで、手摺ベース３の接床高さを無段階に調整できる。従って、タブ壁２の高さの違いに応じて、手摺ベース３の接床高さを過不足なく適正に調整して、手摺ベース３を脚柱５で確りと支持できる。また、バスタブ用手摺を設置する際に不可欠な手摺ベース３の接床高さの調整を、より少ない手間で簡便に行える。
【００４９】
上記の実施例では、固定クランプ体２６の接合面２９を部分円弧状の円弧平面で形成したがその必要はなく、接合面２９は楕円平面や湾曲平面などの、外側面２ａに向って外突状に湾曲する２次元平面で形成することができる。自在継手３８は十字軸状に構成してある必要はなく、例えば球軸と球軸の外面を覆う球状ソケットの間に、複数のボールとボールを移行案内する溝が形成してある自在継手であってもよい。抱持座６８・６９は半円状に形成する必要はなく、手摺支柱５０に外接する複数の座面を備えた座面であればよい。また、調整構造は、各クランプアーム２７に対応して設けることが好ましいが、各クランプアーム２７を同時に進退操作する調整構造であってもよい。
【符号の説明】
【００５０】
１  バスタブ
２  タブ壁
２ａ  タブ壁の外側面
２ｂ  タブ壁の内側面
３  手摺ベース
４  手摺体
５  脚柱
７  ベース本体
１９  柱穴
２０  ガイド溝
２６  固定クランプ体
２７  クランプアーム
２８  可動クランプ体
２９  固定クランプ体の接合面
３２  スペーサー
３６  アーム締結枠
４１  可動クランプ体の接合面
４３  スライドブロック
４４  調整ボルト
５０  手摺支柱
５１  手摺本体
５４  調整ねじ軸
６８  抱持座
７０  抱持ブロック
７１  ボルト
８１  雌ねじ体
８２  接床体
【要約】
【課題】  タブ壁の内外側面が内外いずれかに湾曲している場合であっても、バスタブ用手摺をバスタブに対して強固にしかも安定した状態で装着でき、適用可能なバスタブと手摺装着位置の自由度を拡大できる汎用性に優れたバスタブ用手摺を提供する。
【解決手段】  バスタブ用手摺は、タブ壁２に固定される手摺ベース３と、手摺ベース３で支持される手摺体４と、洗い場の床面に接当する脚柱５とを備える。手摺ベース３はベース本体７と、クランプ構造とを備える。クランプ構造は、ベース本体７に固定される一対の固定クランプ体２６と、ベース本体７で支持されるクランプアーム２７と、クランプアーム２７に支持される一対の可動クランプ体２８と、クランプアーム２７を進退操作する調整構造とを備える。固定クランプ体２６の接合面２９は、外突状に湾曲する２次元平面で形成する。可動クランプ体２８は、自在継手３８で前後および左右傾動可能に支持されている。
【選択図】図１【図１】
0006868672.tif 000002
【図２】
0006868672.tif 000003
【図３】
0006868672.tif 000004
【図４】
0006868672.tif 000005
【図５】
0006868672.tif 000006
【図６】
0006868672.tif 000007
【図７】
0006868672.tif 000008
【図８】
0006868672.tif 000009
【図９】
0006868672.tif 000010
【図１０】
0006868672.tif 000011
【図１１】
0006868672.tif 000012
【図１２】
0006868672.tif 000013
【図１３】
0006868672.tif 000014
【図１４】
0006868672.tif 000015
【図１５】
0006868672.tif 000016